(57)【要約】  本明細書における特定の典型的な方法および／または装置の実施形態は、Ｘ線ＣＴ撮像装置によって患者の顎顔面領域に関するデータセットを取得することと、取得された同一のデータセットから２種類以上の顎顔面データボリュームを再構成することと、ボリューム（たとえばＦＤＫボリュームおよびＭＡＲボリューム）のうちの第１の種類のデータボリュームによって患者の顎顔面領域の少なくとも１つのスライスを表示することと、表示された少なくとも１つのスライスにおける関心領域（ＲＯＩ）を選択することであって、上記第１の種類のデータボリュームの第１の部分がＲＯＩ内に表示されることと、選択されたＲＯＩ内に、第２の種類のデータボリュームの第２の部分を表示することであって、患者の顎顔面領域の少なくとも１つのスライスが第１の種類のデータボリュームによって表示されると同時に、ＲＯＩが第２の種類のデータボリュームの第２の部分によって表示されることとを含み得る。【選択図】図５
2020532339.tif 000002
【特許請求の範囲】
【請求項１】
Ｘ線ＣＴ撮像によって患者の顎顔面領域の放射線画像を取得するための方法であって、
−Ｘ線ＣＴ撮像装置によって患者の顎顔面領域に関するデータセットを取得することと、
−前記取得された同一のデータセットから２種類のデータボリューム、すなわちいずれも同一の前記顎顔面領域に対応するＦＤＫボリュームおよびＭＡＲ（金属アーチファクト低減）ボリュームを再構成することと、
−前記ＦＤＫボリュームおよび前記ＭＡＲボリュームのうちの第１の種類のデータボリュームによって前記患者の顎顔面領域の少なくとも１つのスライスを表示することと、
−前記表示された少なくとも１つのスライスにおける、前記第１の種類のデータボリュームの第１の部分に対応する関心領域（ＲＯＩ）を選択することと、
−前記選択されたＲＯＩ内に、第２の種類のデータボリュームの第２の部分を表示することであって、前記患者の顎顔面領域の前記少なくとも１つのスライスが前記第１の種類のデータボリュームによって表示されると同時に、前記ＲＯＩが前記第２の種類のデータボリュームの前記第２の部分によって表示されることと
を備える方法。
【請求項２】
前記選択されたＲＯＩ内に、前記第２の種類のデータボリュームの前記第２の部分を表示する前に、前記選択されたＲＯＩに対応する、前記ＦＤＫボリュームおよび前記ＭＡＲボリュームのうちの前記第２の種類のデータボリュームの前記第２の部分を決定することを備える、請求項１に記載の方法。
【請求項３】
前記患者の顎顔面領域の前記少なくとも１つのスライスは、冠状ビューにおけるスライス、顔面ビューにおけるスライス、および矢状ビューにおけるスライスを備える、請求項１または２に記載の方法。
【請求項４】
前記ＲＯＩは、前記３つのスライスのいずれかから選択される、請求項３に記載の方法。
【請求項５】
前記表示された同一のＲＯＩを有する同一のビュー内に、以前の前記少なくとも１つのスライスの代わりに他の平行スライスを表示することを更に備える、請求項３または４に記載の方法。
【請求項６】
前記選択されたＲＯＩ内に、前記第２の種類のデータボリュームの前記第２の部分を表示することは、前記第１の種類のデータボリュームの前記第１の部分を、前記第２の種類のデータボリュームの前記第２の部分と入れ替えることを備える、請求項１〜５のいずれかに記載の方法。
【請求項７】
前記選択されたＲＯＩ内に、前記第２の種類のデータボリュームの前記第２の部分を表示することは、前記第１の種類のデータボリュームの前記第１の部分に、前記第２の種類のデータボリュームの前記第２の部分を重畳することを備える、請求項１〜５のいずれかに記載の方法。
【請求項８】
前記表示された少なくとも１つのスライス上に、前記少なくとも１つのスライスを表示するために用いられた前記データボリュームの種類を表すインジケータを表示することを更に備える、請求項１〜７のいずれかに記載の方法。
【請求項９】
前記ＲＯＩ内に表示された前記データボリュームの種類を表すインジケータを表示することを更に備える、請求項１〜８のいずれかに記載の方法。
【請求項１０】
前記表示された少なくとも１つのスライスにおいて前記ＲＯＩを選択することは、事前に比較ツールＦＤＫボリューム／ＭＡＲボリュームをアクティブ化し、前記表示された少なくとも１つのスライス上で、前記選択されたＲＯＩに対応する前記スライスのゾーンへポインティングデバイスを動かすことを備える、請求項１〜９のいずれかに記載の方法。
【請求項１１】
前記ＲＯＩを含む前記患者の口の前記少なくとも１つのスライス全体が前記第１の種類のデータボリュームによって表示されるように、前記ＦＤＫボリュームおよび前記ＭＡＲボリュームのうちの第２の種類のデータボリュームの前記第２の部分を前記選択されたＲＯＩ内に表示することを中断する、請求項１〜１０のいずれかに記載の方法。
【請求項１２】
前記ＲＯＩは、明らかな輪郭によって境界付けられる、請求項１〜１１のいずれかに記載の方法。
【請求項１３】
前記境界付けの輪郭は、調整可能なサイズを有する、請求項１２に記載の方法。
【請求項１４】
−患者の顎顔面領域の放射線画像を表示するためのディスプレイアセンブリと、
−前記ディスプレイアセンブリと協働する、前記表示された画像上のゾーンを選択するためにユーザによって操作され得るユーザインタフェースアセンブリと、
−Ｘ線ＣＴ撮像による同じ前記顎顔面領域の再構成データボリュームにそれぞれ対応するＦＤＫボリュームおよびＭＡＲ（金属アーチファクト低減）ボリュームのうちの第１の種類のデータボリュームによって前記患者の顎顔面領域の少なくとも１つのスライスを前記ディスプレイアセンブリに表示し、
−前記表示された少なくとも１つのスライスにおいて、前記ユーザインタフェースアセンブリを介してユーザによって選択され、前記第１の種類のデータボリュームの第１の部分を含む関心領域（ＲＯＩ）を識別し、
−前記患者の顎顔面領域の前記少なくとも１つのスライスが前記第１の種類のデータボリュームによって表示されると同時に、前記ＲＯＩが第２の種類のデータボリュームの第２の部分によって表示されるように、前記選択されたＲＯＩ内に、前記第２の種類のデータボリュームの前記第２の部分を表示する
ように構成されたプロセッサと
を備えるＸ線ＣＴ撮像インタフェースシステム。
【請求項１５】
請求項１４に記載のシステムを備えるＸ線ＣＴ撮像装置であって、
−Ｘ線ＣＴ撮像取得プロセスによって前記患者の顎顔面領域に関するデータセットを取得し、
−前記取得された同一のデータセットから前記２種類のデータボリューム、すなわちいずれも同一の前記顎顔面領域に対応する前記ＦＤＫボリュームおよび前記ＭＡＲ（金属アーチファクト低減）ボリュームを再構成する
ように構成されたＸ線ＣＴ撮像装置。
【請求項１６】
コンピュータまたは制御アセンブリに、請求項１〜１３のいずれかに記載の方法を実行させるための命令が格納されたコンピュータ記憶媒体。
【発明の詳細な説明】
【技術分野】
【０００１】
本開示は、一般に歯科用Ｘ線撮像に関し、特に、Ｘ線ＣＴ（コンピュータ断層撮影）撮像の分野に関する。より具体的には、本開示は、Ｘ線データ取得によって患者の口の放射線画像を取得するための方法、Ｘ線ＣＴ撮像インタフェースシステム、およびＸ線ＣＴ撮像装置に関する。
【背景技術】
【０００２】
Ｘ線ＣＴ撮像によって患者の顎顔面領域の放射線画像を取得するための従来の方法は一般に、
−Ｘ線ＣＴ撮像装置によって患者の顎顔面領域に関するデータセット（２Ｄ投影図）を取得することと、
−取得したデータセットにデータ処理が行われた後、患者の顎顔面領域の放射線３Ｄ画像を再構成することと、
−後続する施術者による解釈のために再構成された歯科用画像を表示することと
を備える。
【０００３】
たとえば金属インプラントなど、患者の顎顔面領域における金属の存在は、歯科用画像の視覚品質および解釈性に重大な影響を及ぼし得る。
【０００４】
この点に関して、多くの場合、金属ストリークアーチファクトを効果的に低減し、コントラスト対ノイズ比を改善するために、金属アーチファクト低減（ＭＡＲ）アルゴリズムが用いられ得る。
【０００５】
ただし、ＭＡＲアルゴリズムは、金属によって生じるものに近い情報も生成し得る。患者の口内の金属再分配に依存して、その後、コントラスト対ノイズ比が低減され得る。この点に関して、ＦＤＫアルゴリズムは、ＭＡＲアルゴリズムに関連する欠点を回避するために用いられ得る。
【０００６】
上述したように、施術者は、誤診断を回避するために、第１のＦＤＫボリュームによって再構成された第１の画像および第２のＭＡＲデータボリュームによって再構成された第２の画像という、比較のための２種類の画像を必要とする。そのような方法は、それらの特定の応用においてある程度の成功をもたらし得るが、２種類の画像の比較を簡単にする必要性がある。
【発明の概要】
【発明が解決しようとする課題】
【０００７】
本開示の目的は、施術者のタスクを簡単にすることである。
【０００８】
本開示の他の目的は、第１のＦＤＫデータボリュームによって再構成された第１の画像と第２のＭＡＲデータボリュームによって再構成された第２の画像との比較を簡単にすることである。
【０００９】
本開示の更なる目的は、施術者の誤診断を回避することである。
【００１０】
これらの目的は、実例によってのみ示され、そのような目的は、本発明の１または複数の実施形態の典型例であってよい。本発明によって固有に実現される他の望ましい目的および利点が、当業者には想起され、明らかになり得る。本発明は、添付の特許請求の範囲によって定義される。
【課題を解決するための手段】
【００１１】
本開示の１つの態様によると、Ｘ線ＣＴ撮像によって、より具体的にはＣＢＣＴ（コーンビームコンピュータ断層撮影）撮像によって、患者の顎顔面領域の放射線画像を取得するための特定の典型的な方法および／または装置の実施形態が提供され、そのような典型的な方法および／または装置の実施形態は、
−Ｘ線ＣＴ撮像装置、より具体的にはＣＢＣＴ撮像装置によって患者の顎顔面領域に関するデータセットを取得することと、
−取得された同一のデータセットから２種類のデータボリューム、すなわちいずれも同一の顎顔面領域に対応するＦＤＫボリュームおよびＭＡＲ（金属アーチファクト低減）ボリュームを再構成することと、
−ＦＤＫボリュームおよびＭＡＲボリュームのうちの第１の種類のデータボリュームによって患者の顎顔面領域の少なくとも１つのスライスを表示することと、
−表示された少なくとも１つのスライスにおける、上記第１の種類のデータボリュームの第１の部分に対応する関心領域（ＲＯＩ）を選択することと、
−選択されたＲＯＩ内に、第２の種類のデータボリュームの第２の部分を表示することであって、患者の顎顔面領域の少なくとも１つのスライスが第１の種類のデータボリュームによって表示されると同時に、ＲＯＩが第２の種類のデータボリュームの第２の部分によって表示されることと
を備える。
【００１２】
可能な追加の典型的な方法および／または装置の実施形態特徴または態様として、
−選択されたＲＯＩ内に、第２の種類のデータボリュームの第２の部分を表示する前に、方法は、選択されたＲＯＩに対応する、ＦＤＫボリュームおよびＭＡＲボリュームのうちの第２の種類のデータボリュームの第２の部分を決定することを備え、
−患者の顎顔面領域の少なくとも１つのスライスは、冠状ビューにおけるスライス、顔面ビューにおけるスライス、および矢状ビューにおけるスライスを備え、
−ＲＯＩは、３つのスライスのいずれかから選択され、
−方法は、表示された同一のＲＯＩを有する同一のビュー内に、以前の少なくとも１つのスライスの代わりに他の平行スライスを表示することを更に備え、
−選択されたＲＯＩ内に、第２の種類のデータボリュームの第２の部分を表示することは、第１の種類のデータボリュームの第１の部分を、第２の種類のデータボリュームの第２の部分と入れ替えることを備え、
−選択されたＲＯＩ内に、第２の種類のデータボリュームの第２の部分を表示することは、第１の種類のデータボリュームの第１の部分に、第２の種類のデータボリュームの第２の部分を重畳することを備え、
−方法は、表示された少なくとも１つのスライス上に、少なくとも１つのスライスを表示するために用いられたデータボリュームの種類を表すインジケータを表示することを更に備え、
−方法は、ＲＯＩ内に表示されたデータボリュームの種類を表すインジケータを表示することを更に備え、
−表示された少なくとも１つのスライスにおいてＲＯＩを選択することは、事前に比較ツールＦＤＫボリューム／ＭＡＲボリュームをアクティブ化し、表示された少なくとも１つのスライス上で、選択されたＲＯＩに対応するスライスのゾーンへポインティングデバイスを動かすことを備え、
−方法は、ＲＯＩを含む患者の口の少なくとも１つのスライス全体が第１の種類のデータボリュームによって表示されるように、ＦＤＫボリュームおよびＭＡＲボリュームのうちの第２の種類のデータボリュームの第２の部分を選択されたＲＯＩ内に表示することを中断し、
−ＲＯＩは、明らかな輪郭によって境界付けられ、
−境界付けの輪郭は、任意のプリセットまたはフリーハンド形状であってよく、
−境界付けの輪郭は、視覚的に連続的または間欠的（たとえば破線）であってよく、
−境界付けの輪郭は、調整可能なサイズを有してよい。
【００１３】
本開示の他の典型的な態様によると、Ｘ線ＣＴ撮像インタフェースシステムが提供され、より具体的には、典型的な方法および／または装置のＣＢＣＴ撮像インタフェース実施形態は、
−患者の顎顔面領域の放射線画像を表示するためのディスプレイアセンブリと、
−ディスプレイアセンブリと協働する、表示された画像上のゾーンを選択するためにユーザによって操作され得るユーザインタフェースアセンブリと、
−Ｘ線ＣＴ撮像、より具体的にはＣＢＣＴ撮像による同じ顎顔面領域の再構成データボリュームにそれぞれ対応するＦＤＫボリュームおよびＭＡＲ（金属アーチファクト低減）ボリュームのうちの第１の種類のデータボリュームによって患者の顎顔面領域の少なくとも１つのスライスをディスプレイアセンブリに表示し、
−表示された少なくとも１つのスライスにおいて、ユーザインタフェースアセンブリを介してユーザによって選択され、第１の種類のデータボリュームの第１の部分を含む関心領域（ＲＯＩ）を識別し、
−患者の顎顔面領域の少なくとも１つのスライスが第１の種類のデータボリュームによって表示されると同時に、ＲＯＩが第２の種類のデータボリュームの第２の部分によって表示されるように、選択されたＲＯＩ内に、第２の種類のデータボリュームの第２の部分を表示する
−ように構成されたプロセッサと
を備える。
【００１４】
本開示のまた他の典型的な態様によると、上述のＸ線ＣＴ撮像インタフェースシステム、より具体的には上述のＣＢＣＴ撮像インタフェースシステムを備えるＸ線ＣＴ撮像装置、より具体的にはＣＢＣＴ撮像装置が提供され、Ｘ線ＣＴ撮像装置、より具体的にはＣＢＣＴ撮像装置は、
−Ｘ線ＣＴ撮像取得プロセス、より具体的にはＣＢＣＴ撮像取得プロセスによって患者の顎顔面領域に関するデータセットを取得し、
−取得された同一のデータセットから２種類（または３つ以上）のデータボリューム、たとえばいずれも同一の顎顔面領域に対応するＦＤＫボリューム、ＭＡＲ（金属アーチファクト低減）ボリューム、および第３またはそれ以上のボリューム再構成を再構成する
ように構成される。
【００１５】
本開示のまた他の典型的な態様によると、コンピュータまたは制御アセンブリに、簡単に上述したような典型的な方法および／または装置の実施形態を実行させるための命令が格納されたコンピュータ記憶媒体が提供される。
【００１６】
本発明の上記のおよび他の目的、特徴、および利点は、添付図面に示されるように、本発明の実施形態の以下のより具体的な説明から明らかになる。
【００１７】
図面の要素は、必ずしも互いに一定の比率で拡大縮小されたものではない。
【図面の簡単な説明】
【００１８】
【図１】本発明の実施形態に係る口腔外撮像装置の全体略斜視図を示す。
【図２】本発明の実施形態に係るインタフェースＸ線ＣＴ撮像システムの主要な機能部品またはアセンブリを示す。
【図３】本発明の実施形態に係る方法のアルゴリズムを示す。
【図４】図３の方法の様々なステップまたは態様を示す断面図またはスライスの様々なセットを示す。
【図５】図３の方法の様々なステップまたは態様を示す断面図またはスライスの様々なセットを示す。
【図６】図３の方法の様々なステップまたは態様を示す断面図またはスライスの様々なセットを示す。
【図７】図３の方法の様々なステップまたは態様を示す断面図またはスライスの様々なセットを示す。
【発明を実施するための形態】
【００１９】
以下は、本出願の典型的な方法および／または装置の実施形態の説明であり、同じ参照番号がいくつかの図の各々において構造の同じ要素を識別する図面が参照される。
【００２０】
図１は、口腔外撮像装置１０の実施形態を示す。装置１０は、支柱であり得る支持フレーム１２を含む支持構造を備える。
【００２１】
また支持構造は、縦柱１２によって支持または保持され得る水平台１４も含む。水平台１４は、縦柱１２から伸長し、縦柱１２に対しほぼ垂直であり得る。水平台１４は、縦柱１２に対し垂直に動くことができる。
【００２２】
より具体的には、水平台１４は、固定垂直部１２ｂの上に摺動可能に取り付けられた垂直部１２ａに固定的に取り付けられる。たとえば、縦柱の背面に位置するたとえば電動式のアクチュエータ（図には示されない）が、水平台１４を制御された方法で上下に動かすように命令され得る。
【００２３】
水平台１４は、ガントリ１６を支持してよい。ガントリ１６は、支持構造に対して、より具体的には水平台１４に対して可動である。ガントリ１６は、より具体的には、水平台１４に対して回転可能であってよい。ガントリ１６は、撮像プロセスの動作中に静止状態であり得る、または選択された撮像プロセスに従っていくつかの所定の軌道のうちの１つを辿り得る回転の縦軸に対して回転可能であってよい。ガントリ１６に所与の運動をさせるための既知の駆動機構（図には示されない）は、水平台１４内に一体化される。例として、そのような駆動機構は、Ｘ、Ｙ平面（たとえばＸ平面、Ｙ平面、ＸおよびＹ平面）に第１の動きを加えるためのモータ、たとえば２つの段階式モータと、（たとえば縦軸Ｚに対する）回転運動を加えるためのモータ、たとえばブラシレスモータとを含む。
【００２４】
ガントリ１６は、Ｘ線源１８およびＸ線源と対応するように配置された少なくとも１つのＸ線センサ２０の両方を支持する。Ｘ線源１８および少なくとも１つのＸ線センサ２０は、互いに向き合って配置され得る。ガントリ１６は、２つの対向する下向きに伸長するアームを含んでよく、第１のアーム１６ａは、これに取り付けられたＸ線源１８を支持し、第２の対向アーム１６ｂは、これに取り付けられた少なくとも１つのＸ線センサ２０を支持する。
【００２５】
作動時、Ｘ線源１８はＸ線ビームを放出し、この場合これは、少なくとも１つのＸ線センサ２０に衝突する前に、患者の顎顔面領域の撮像エリアを放射し得る。
【００２６】
本開示の典型的な実施形態において、装置１０は、Ｘ線ＣＴ動作モード、この場合より具体的にはＣＢＣＴ動作モードで用いられる。装置１０は、ボリュームまたはコンピュータ断層撮影を実行し、３Ｄ画像を取得するためのＸ線ＣＴ撮像装置、この場合より具体的にはＣＢＣＴ撮像装置と考えられる。
【００２７】
ただし、装置１０は、たとえば投影、パノラマ、頭部計測など、１またはいくつかの他の動作モードまたは撮像プロセスに従って機能してもよい。
【００２８】
この点に関して、他のセンサまたは他の複数のセンサが用いられてよく、Ｘ線は、詮索された動作モードおよび施術者の選択に依存して特定の形状を有する患者の頭部領域（または患者の頭部全体）を照射するようにコリメートされ得る。
【００２９】
この典型的な実施形態において、Ｘ線ビームは、円錐形または略円錐形（たとえば円錐台形）である。
【００３０】
少なくとも１つのＸ線センサ２０は、たとえばボリュームまたはコンピュータセンサ（たとえば長方形、正方形）など、ＣＢＣＴ操作に適合されたセンサ、または上記種類のいくつかのセンサを含む。
【００３１】
支持構造は、この場合アームである患者位置決めアクセサリ支持部材２２も含んでよい。アーム２２は、支持フレーム、より具体的には縦柱１２に連結される。患者位置決めアーム２２は、支持フレームに対して可動である。より具体的には、アーム２２は、たとえば電動式の適当なアクチュエータ（複数も可）によるコマンドに対し上下に動くように、縦柱１２に沿って摺動することができる。患者位置決めアーム２２は、固定垂直部１２ｂに対し可動（たとえば摺動可能）に取り付けられたアーム支持部２２ａから伸長する。患者位置決めアーム２２は、水平台１４の伸長方向に概ね一致する方向に、装置に沿って伸長する。この場合、典型的な患者位置決めアーム２２は、水平台１４と略平行関係に、装置に対し横向きに配置される。
【００３２】
患者位置決めアーム２２は、所与の位置で装置に患者を位置決めするために機能する。
【００３３】
患者位置決めアーム２２は、アームの自由端２２ｂまたはその付近に概ね位置するいくつかの患者位置決めアクセサリの１つを含んでよい。これらのアクセサリはまた、またはあるいは、保持システムとみなされてもよい。これらの患者位置決めアクセサリは、様々な配向に従って患者の頭部の解剖学的構造を位置決めすること、および検査中、起こり得るあらゆる動きを低減するために患者の頭部を部分的に拘束または固定することを可能にする。
【００３４】
様々な動作モードに従って装置によって実行される特定の検査の各種類に関して、１またはいくつかの種類の患者位置決めアクセサリが存在する。アーム２２は、様々な種類のこれらの患者位置決めアクセサリの各々を、一般に１つずつ収容するように構成される。
【００３５】
図１に示すように、２４と記されたこれらの患者位置決めアクセサリの１つは、アーム２２から上向きに伸長する２つの側頭保持部材を含み、これらはアーム２２に取外し可能に取り付けられる。一方の側頭保持部材のみが描写され、他方はアーム１６ｂに隠されている。
【００３６】
患者位置決めアクセサリ２４は、アーム２２から上向きに伸長する顎当て２６も含み、顎当て２６はアーム２２に取外し可能に取り付けられる。顎当て２６は、パノラマ検査のために患者の頭部を位置決めするために、２つの側頭保持部材の間に位置する。
【００３７】
口を開閉した状態で側頭下顎関節検査を行うための鼻腔支持部、３Ｄ検査（嵌合型）のための嵌合支持部、３Ｄ検査（前頭部型）のための前頭支持部３２など、他の可能な種類の患者位置決めアクセサリが想定され得る。
【００３８】
図１に示すように、ハンドルアセンブリ３４は、アームの下かつアームと平行関係に、アームの自由端２２ｂに位置し得る。このハンドルアセンブリ３４は、静止状態を保つために撮像プロセスを受ける時に患者によって把持され得る２つの縦型個別ハンドル部３４ａ、３４ｂを含む。
【００３９】
このハンドルアセンブリ３４全体は、水平基部３４ｃおよびアーム２２に固定された２つの上向きに伸長する縦型分岐部３４ａ、３４ｂを含むＵ字形を有する。各分岐部は、縦型ハンドル部の役割を担う。
【００４０】
アーム２２を操作するために他のアセンブリが代わりに用いられてもよい。
【００４１】
患者位置決めアーム２２は、モニタまたはディスプレイアセンブリ３６も支持してよく、これにより装置の施術者は、そこに表示された画像を検視し、これとインタラクトし、装置の特定の機能を駆動することが可能である。
【００４２】
図２は、本明細書における典型的な方法および／または装置の実施形態において用いられ得る主要な機能部品またはアセンブリの概略図である。システム４０は、装置１０の一部であってもなくてもよい、Ｘ線ＣＴ撮像インタフェースシステム、この場合より具体的にはＣＢＣＴ撮像インタフェースシステムである。たとえばシステム４０は、装置１０のアーム２２に位置してよく、あるいは装置に対して遠隔に位置して（たとえば同室内または同室に連結され、あるいは別室または他の場所にあって）よい。
【００４３】
１つの典型的な実施形態において、システム４０は装置内にあるが、システム４０が装置とは別である場合も以下の説明の全てが等しく適用される。
【００４４】
システム４０は、図１のディスプレイアセンブリ３６に対応し得るディスプレイアセンブリ４２、この場合、モニタまたはスクリーンまたはそれらのいくつかを備える。ディスプレイアセンブリ４２は、装置１０によって実行されたＣＢＣＴ撮像プロセスによって取得された患者の顎顔面領域の選択された画像を表示してよい。図２に極めて概略的に示すように、３つの断面図４２ａ〜ｃ（体軸ビュー４２ａ、冠状または前頭ビュー４２ｂ、および矢状ビュー４２ｃ）および３Ｄビュー４２ｄ（左右）という４つの画像が一度に同じスクリーンに表示され得る。ただし、異なる数（たとえば１、２、３、または４より多い数）のビューが表示されてよく、あるいは同じであるが別の幾何学的配列によるビューが表示されてもよい。
【００４５】
システム４０は、ディスプレイアセンブリ４２に接続された制御アセンブリ４４も備える。制御アセンブリ４４は特に、プロセッサ、および場合によっては制御システム４０が典型的な方法の実施形態を実施するための命令を有するコンピュータプログラムを格納するための１または複数の記憶媒体を含む。プロセッサは、１または複数の記憶媒体に格納されたコンピュータプログラムを実行すると、本発明に係る方法のステップまたは動作を実行するように構成されるものと考えられる。
【００４６】
本出願の態様は、１または複数の記憶媒体を含むコンピュータプログラム製品にも関する。
【００４７】
上述した１または複数の記憶媒体はたとえば、たとえば磁気ディスク（たとえばフロッピーディスクなど）または磁気テープなどの磁気記憶媒体、たとえば光学ディスク、光学テープ、または機械可読バーコードなどの光記憶媒体、たとえばランダムアクセスメモリ（ＲＡＭ）または読取専用メモリ（ＲＯＭ）などのソリッドステート電子記憶デバイス、またはそのようなコンピュータプログラムを格納するために用いられる他の任意の物理デバイスまたは媒体であってよい。
【００４８】
制御アセンブリ４４は、インタフェースＣＢＣＴ撮像システム４０を動作させる典型的な方法を実施するためだけに用いられ得る。
【００４９】
代替または追加として、制御アセンブリ４４は、装置１０およびその様々な部品／アセンブリの動作を可能にするため、具体的にはＣＢＣＴ走査を実行し３Ｄボリューム（３ＤX-線画像データ）を再構成するために用いられ得る。この点に関して、格納されたコンピュータプログラム（複数も可）は、３Ｄボリュームを取得するための方法を実施するように装置１０を制御するための命令を有する。
【００５０】
またシステム４０は、ここではＣＢＣＴ撮像プロセスの行程において装置によって再構成された様々なボリュームのデータを格納する１または複数の外付け記憶媒体４６も備える。１または複数の外付け記憶媒体４６もまた、上述したものと同じ種類であってよい。
【００５１】
１または複数の外付け記憶媒体４６もまた、システム４０を制御するため、および／または、より一般的には、制御アセンブリ４４の１または複数の外付け記憶媒体の代わりに装置１０を制御するための上述したコンピュータプログラム（複数も可）も格納してよい。
【００５２】
システム４０は更に、たとえば施術者または技術者などのユーザが、様々なタスクを実行するために、ディスプレイアセンブリ４２と、場合によっては画像処理／アルゴリズムを実行する制御アセンブリ４４とインタラクトすることを可能にするユーザインタフェースアセンブリを備える。
【００５３】
ユーザインタフェースアセンブリは、たとえばコンピュータマウスジョイスティック、スタイレット、キーパッド、タッチパッドなどのポインティングデバイスであるがこれに限定されない、ディスプレイアセンブリに接続された１または複数のインタラクションデバイス４８を含んでよい。
【００５４】
タッチスクリーン、スクリーン上のコマンドに表示されたまたは表示され得るツールアイコンなど、他の種類のインタラクションデバイスまたはツール（ユーザインタフェースツール）が代替または追加として用いられ得る。
【００５５】
図２は、アクションを選択するまたは起こすために表示された画像とインタラクトするためにユーザによって用いられ得る、表示画像の隣に表示されたいくつかのツールアイコン４２ｅおよび４２ｆを、スクリーン４２の左手部分に示す。これらのツールアイコンのいくつかは、たとえば調整機能（たとえばサイズ調整）などの機能を提供するために利用可能であってよい。
【００５６】
ツールアイコン４２ｅ〜ｆは、ユーザインタフェース技術における当業者に既知である数々の形式のいずれかを用い得る。
【００５７】
ここで、対応するコンピュータプログラム（複数も可）のアルゴリズムを示す図３を参照して、本出願に係る典型的な方法の実施形態が説明される。この場合、典型的な方法の実施形態は、ＣＢＣＴ撮像装置１０によって３Ｄボリュームを取得することを可能にする先のステップも含む。
【００５８】
第１のステップＳ１において、患者の顎顔面領域のＣＢＣＴ走査が実行される。この走査は、患者の顎顔面領域に対してガントリを回転させること、および患者の顎顔面領域によって減衰される円錐形ビームを受け取るセンサ（複数も可）によって回転運動の行程中に角度方向に離間した投影図のセット（データセットを形成する２Ｄ画像）を取得することによって得られる。
【００５９】
第２のステップＳ２は、取得されたデータセットに基づく３Ｄ再構成ボリュームである。そのような再構成ステップは、当業者に既知である。この場合、好適には２つの３Ｄボリュームが、２つの異なる種類のデータボリュームに従って再構成され、
−第１の３Ｄボリュームは、全ての２Ｄ画像に適用されたＦＤＫアルゴリズムまたは方法（最も有名な再構成方法の１つ）（高周波数フィルタリングおよびレトロ投影を含む２段階プロセス）を用いて得られるＦＤＫボリューム（Ｆｅｌｄｋａｍｐ  Ｄａｖｉｄ  Ｋｅｍｐ）であり、
−第２の３Ｄボリュームは、金属ストリークアーチファクトを低減するために役立つ既知のＭＡＲアルゴリズムまたは方法を用いることによって得られるＭＡＲボリューム（金属アーチファクト低減）である。いくつかの典型的な実施形態において、他のまたは追加の（たとえば３つ以上の）既知の再構成アルゴリズムが、後の比較のために用いられ得る。
【００６０】
米国特許第６，７２１，３８７号は、金属アーチファクトを低減する方法を説明する。
【００６１】
要約すると、この典型的な方法の実施形態は、
−一般に知られているフィルタされた背面投影を用いてＣＢＣＴ撮像システムによって生成された入力投影データから予備画像を再構成することと、
−この画像内の画素の強度値に基づいて予備画像における金属物体を識別することと、
−アーチファクトが補正された最終画像において物体が変更される原因になり得る特性を有する物体の投影図を除去することによって、上記入力投影データから２次投影図を生成することと、
−上記ステップにおいて生成された２次投影データから、先に識別された金属物体の投影図を抽出することと、
−上記入力投影データから上で抽出された金属物体の投影図を除去することによって、補正された投影図を生成することと、
−上記ステップにおいて生成された上記補正された投影図の再構成および上記ステップにおいて識別された金属物体を最終画像に挿入することによって、最終画像を生成することといういくつかの主要ステップを備える。
【００６２】
あるいは金属アーチファクトを低減する他の方法は、ＵＳ２００９０７４２７８号およびＥＰ１  ８４６  ８９３号において説明されたようなものが想定され得る。
【００６３】
次にステップＳ２は、各々が異なる種類の情報を施術者に提供する２つの異なるボリュームのデータ（ＦＤＫおよびＭＡＲ）を用いて同じ顎顔面領域を再構成することを可能にする。
【００６４】
これら２つの異なるデータボリュームは、たとえば図２の記憶媒体４６に格納される（ステップＳ３）。
【００６５】
したがって、顎顔面領域の各画像または画像部分は、ＦＤＫデータボリュームまたはＭＡＲデータボリュームのいずれかを用いてディスプレイで施術者に利用可能である。
【００６６】
留意すべき点として、ステップＳ１〜Ｓ３は、以下のステップとは別に、たとえば時間的に遅延して行われ、および／または個別エンティティによって実行され得る。
【００６７】
次のステップＳ４は、それぞれ体軸ビューにおけるスライス（４２ａ）、冠状ビューにおけるスライス（４２ｂ）、および矢状ビューにおけるスライス（４２ｃ）に対応する３つの断面図４２ａ〜ｃを表示するための表示ステップである。これらのビューは、３Ｄ再構成ボリューム、すなわちＦＤＫまたはＭＡＲボリュームのいずれかによって得られる。あるいは異なる数の断面図が表示されてもよい。
【００６８】
１つの典型的な実施形態において、高いコントラスト対ノイズ比のビューおよび低減された金属ストリークアーチファクトを施術者に提供するために、上記断面図を表示するためにたとえばＭＡＲボリュームが最初に用いられる。
【００６９】
図４は、隣接したツールアイコン４２ｅ〜ｆとともにスクリーン上に表示された上述のビューを示す。
【００７０】
留意すべき点として、表示された図４２ａ〜ｃは全て、同じデータボリュームに依存する。最初、表示されたビューは好適には、単一の再構成型式に依存する。
【００７１】
施術者は、ユーザインタフェースツール（たとえばマウスのカーソル）によってスクリーン上のビューとインタラクトする時、たとえばマウスホイールを（たとえばボリュームの軸スライスを通って動くように）スクロールすることによって、同じビュー（たとえば体軸ビュー）内の他のスライスを選択し得る。このスライスの変更は、スライスの変更が影響を及ぼし得る他の２つのビューの少なくとも一方に対応する変更をもたらす。
【００７２】
加えて、３Ｄ画像４２ｄもまた、同時にスクリーン上（左右）に表示され得る。
【００７３】
ステップＳ５は、ＦＤＫボリュームとＭＡＲボリュームとを比較するために用いられる比較ツールまたはアイコンＴ（図２および図４を参照）を表示するための表示ステップである。図２および図４において、このツールＴは、たとえば拡大鏡の形状で、利用可能なツールアイコン４２ｆにおいてスクリーン上で常に可視である。異なる実施形態において、このＦＤＫボリューム／ＭＡＲボリューム比較ツールは、ユーザインタフェースツール（キーパッド、マウスなど）を介したユーザからのコマンド時に表示され得る。
【００７４】
インジケータＩもまた、各ビュー４２ａ〜ｃ（図２および図４）に、たとえば各ビューの下部に表示され得る（ステップＳ６）。そのようなインジケータは、対応するスライスを表示するために用いられるデータボリュームの種類（ＦＤＫまたはＭＡＲデータボリュームのいずれか）を表す。
【００７５】
この典型的な実施形態において、このインジケータは、様々なビューがスクリーン上に表示される時、システム４０によってデフォルトで表示され得る。
【００７６】
図４において、インジケータは、表示されたデータボリュームの種類の名称、すなわちこの場合はＭＡＲに対応する。ただし、代わりに他のインジケータが用いられ、スクリーン上の様々な位置に配置されてもよい。
【００７７】
次のステップＳ７は、ユーザによって比較ツールＴをアクティブ化／選択するためのアクティブ化ステップである。このアクティブ化ステップは、たとえばコンピュータマウス４８（図２）などのポインティングデバイスを用いて、マウスのカーソルによって表示された比較ツールＴをクリックすることによって行われ得る。
【００７８】
その後ユーザは、表示された３つのビュー４２ａ〜ｃの中から自身の選択したビューにカーソルを動かし、ビュー上でカーソルを適切に置くことによって選択されたスライス／ビューにおける関心領域またはゾーン（ＲＯＩ）を選択する（ステップＳ８）。
【００７９】
その後ユーザは、選択されたスライス／ビューにおけるＲＯＩの表示をアクティブ化する（ステップＳ９）。
【００８０】
選択された可能なＲＯＩの例は、図５の表示された体軸スライス４２ａに示され、ＲＯＩの輪郭Ｏが表示される。この場合、ＲＯＩは、円形を有する明らかな連続線によって境界付けられるが、連続または中断線を有する他の代替の形状が用いられてもよい（たとえば長方形、正方形など）。
【００８１】
任意選択的なステップＳ１０は、たとえばスライス内に複数の歯を含むように、必要に応じてＲＯＩのサイズを調整するために行われ得る。
【００８２】
ツールアイコンＴがアクティブ化されると、エリアＳＡは、ツールアイコンＴの下に出現し（図５）、それぞれ小サイズ調整（サイズ縮小）および大サイズ調整（サイズ拡大）に対応する大小の両極端の円の間の水平スライダＬ上に位置するサイズ調整カーソルＣを含む。
【００８３】
したがってサイズ調整は、このエリアＳＡにマウスカーソルを動かし、それをカーソルＣの上に置き、マウスの左ボタンを押下してサイズ調整機能をアクティブ化することによって行われ得る。カーソルＣは、マウスの左ボタンを押下した状態で、マウスカーソルの動きに依存して左右に動かされる。適当なサイズ調整がアクティブ化されると、マウスの左ボタンは解放され、マウスカーソルは次に、前の選択されたＲＯＩのエリアに動かされる。
【００８４】
マウスの左ボタンが押下されると、ＲＯＩ輪郭Ｏが、所望のサイズで選択された位置に再び出現する。
【００８５】
一般的に、ＲＯＩサイズの設定は、たとえば画像の中央など、コンピュータプログラム（複数も可）によって定義された所与の位置にＲＯＩ輪郭を出現させる、たとえばスライダなどの任意の専用機構によって行われてよく、ユーザは、スライダを動かし、ＲＯＩサイズへの影響を直接見ることができる。ＲＯＩのデフォルトサイズは、コンピュータプログラム（複数も可）によって定義され得る。
【００８６】
サイズ調整に関して上述された事項は全て、様々に（たとえば様々なインタフェースツールによって）、かつ他の時間に行われてよい。
【００８７】
異なる典型的な実施形態において、ＲＯＩサイズは、たとえばキーパッド（図２のインタラクションデバイス４８）のコントロールキーをアクティブ化し、マウスホイールをスクロールすることによって、（マウスの左ボタンが押下された状態で）選択されたＲＯＩの外観とともに選択されたビューにおいて直接調整され得る。したがってＲＯＩのサイズは、選択されたビューにおいて動的に変化する。
【００８８】
任意選択的に、選択されたビューにおける直接的なＲＯＩサイズ調整は（その実装および使用されるインタフェースに関わらず）、同時にあるいはわずかに遅延して、スライダＬ上のカーソルＣの位置に対応する変化をももたらし得る。したがってカーソルＣの対応する位置の表示が行われる。
【００８９】
可能なサイズ調整を伴い、ユーザによって選択されたＲＯＩは、第１の種類（たとえばＭＡＲ）のデータボリュームの一部を含む。このデータ部分は、第１の部分とみなされ、ユーザの関心対象であると思われる。ただし、この種類のデータボリュームは、ユーザが正しい診断を行うために十分ではない可能性がある。
【００９０】
したがって、このＲＯＩを、ビューの全体表示を変化させる必要なくユーザに異なる／追加の情報を提供する他の種類のデータボリュームを用いて検視することは、ユーザにとって非常に興味深い。
【００９１】
この点に関して、図３の以下のステップＳ１１において、第２の種類のデータボリューム（この場合、ＦＤＫボリューム）における、選択されたＲＯＩに対応する第１のデータ部分が、（制御アセンブリ４４による）計算によって決定／識別される。
【００９２】
次のステップＳ１２は、（明示された輪郭Ｏ内に表示される）選択されたＲＯＩ内で、図５に示すような、決定された第２の種類のデータボリュームの第２の部分（ＦＤＫ局所化表示）を表示するために備える。
【００９３】
この典型的な実施形態において、この表示ステップは、選択されたＲＯＩの輪郭が表示される（Ｓ９）のと同時に行われるので、マウスの左ボタンをクリックすることによって命令される。マウスの左ボタンを押下した状態に保つことで、第２の種類のデータボリュームの第２のデータ部分の表示が維持される。
【００９４】
よって、ステップＳ９、Ｓ１１、およびＳ１２は、同時にまたは実質的に同時に行われる。
【００９５】
ただし、異なる典型的な実施形態において、輪郭Ｏ内に第１の種類の第１のデータ部分を表示することを含むステップＳ９が最初に行われ得る。ステップＳ１１およびＳ１２は、その後、他のコマンドまたはインタフェースツールをアクティブ化すると行われ得る。これにより、第２の種類のデータの表示を制御するという利点が提供される。
【００９６】
簡単に上述したように、サイズ調整ステップＳ１０は、たとえば第２のデータ部分が輪郭Ｏ内に表示された時など、別の時点で実行され得る。したがって、第２の種類のデータの表示は、ユーザに、他のＲＯＩサイズを決定させ得る。
【００９７】
サイズ調整は、方法の実行中の様々な瞬間に行われてもよい。
【００９８】
当然、最初にＭＡＲボリュームを表示し、次に局所化ＦＤＫボリュームを表示することに関して上述した事項は全て、たとえばＦＤＫボリュームが、画像の視覚品質に影響を及ぼし、解釈上の誤りを招き得る金属パーツを含むという理由で、最初にＦＤＫボリュームを表示し、次に局所化ＭＡＲボリュームを表示するという逆の状況にも適用される。
【００９９】
たとえば、この表示は、
−第２の種類のデータボリュームの第２のデータ部分が第１の種類のデータボリュームの第１のデータ部分と入れ替わる（ステップＳ１２ａ）、これはたとえば制御アセンブリ４４による計算タスクを必要とする、あるいは、
−第２の種類のデータボリュームの第２のデータ部分が、第１の種類のデータボリュームの第１のデータ部分に重畳される（ステップＳ１２ｂ）、これは最も容易かつより迅速な進行方法である
という２つの方法で行われ得る。
【０１００】
したがって、患者の顎顔面領域の選択されたスライスは、第２の種類のデータボリューム（この場合、ＦＤＫボリューム）の第２のデータ部分によって表示されるＲＯＩを除き、第１の種類のデータボリューム（この場合、ＭＡＲボリューム）によって表示される。これにより施術者は、画像全体に関して他の種類の再構成データボリュームを選択および表示して比較のために何度かそれらを入れ替える必要なく、補足情報を同時に提供する、２種類のデータを同じビュー（結合されたディスプレイ）内に有することが可能である。
【０１０１】
１つの典型的な方法の実施形態において、重畳データのみが可視である。あるいは、重畳データは調整可能な透明度を有し、調整可能な透明度を有する重畳データとともに第１の種類のデータが部分的に可視であることを可能にする。他の典型的な方法の実施形態において、重畳データのみが存在し、重畳データのみを見るために調整可能な透明度が適用され得る。
【０１０２】
特定の典型的な方法および／または装置の実施形態は、施術者が診断を行うための時間の利得を提供してよく、また施術者のタスクを単純化する。
【０１０３】
顎顔面領域の同じスライス上に、第１の種類のデータボリュームによって表示された第１のエリアおよび第２の種類のデータボリュームによって表示された第２の局所化エリア（ＲＯＩ）の両方を有することにより、従来技術において困難であった比較タスクを（動的に）遂行することも可能である。その結果生じる医療調査、分析、または診断は、より良い品質のものであり得る。
【０１０４】
留意すべき点として、ＭＡＲ再構成ボリュームによって表示されたスライスは、アーチファクトを取り除く。ただし、そのようなスライスを検視する際、ユーザは、ＭＡＲ再構成ボリュームによって消滅し得る解剖学的細部をスクリーン上で検視するために、ＦＤＫ再構成ボリュームに（より正確には、選択されたＲＯＩに対応するＦＤＫ再構成ボリュームのデータ部分のみに）局所的に関心を引かれ得る。
【０１０５】
ユーザはその後、表示された解剖学的エリアへの再構成プロセスの影響を評価するために、２つの再構成ボリュームを動的に比較してよい。
【０１０６】
図３の典型的な方法アルゴリズムは更に、スクリーン上のビューまたは複数のビューに表示された、データボリュームの種類の第１のインジケータに加えて、ＲＯＩ内に表示された、データボリュームの種類を表す第２のインジケータを表示することを備えてよく、この第２のインジケータは、ＲＯＩの輪郭に隣接した位置、または関心対象ビュー上の他の任意の場所または他のどこかに位置してよい。
【０１０７】
この典型的な実施形態において、図５におけるツールアイコンＴの拡大鏡の内側は、選択されたＲＯＩ内に表示されたまたは表示される第２のデータ種類に対応する「ＦＤＫ」を示す。
【０１０８】
図３の典型的な方法アルゴリズムは更に、第２の種類のデータボリュームの第２の部分のＲＯＩ内での表示を中断することを可能にする中断ステップＳ１３も備える。したがってこれにより、第１の種類の第１のデータ部分が再びＲＯＩ内に表示される。ユーザは、同じＲＯＩ内で異なる種類のデータを非常に容易に局所比較するために、ステップＳ１２およびＳ１３を数回繰り返すことを選択してよい。
【０１０９】
実際には、ステップＳ１２は、マウスの左ボタンへの圧力を解放することによりユーザによって非常に容易に行われ得る。マウスのクリックボタンが再び押下されると、Ｓ１２が再び行われ、以下同様である。
【０１１０】
この実際的実装は、施術者が分析および／または比較タスクを進めることを非常に容易にもする。
【０１１１】
他のステップＳ１４は、選択された１つのビューにおいて再構成ボリューム内をナビゲートし、同じ断面図（たとえば体軸ビュー）内で可能な平行スライスの１つを選択することによって関心対象スライスを変更することに備える。
【０１１２】
このステップによると、選択されたＲＯＩは、（様々なスライスをナビゲートする間）各選択されたスライス内に表示されたままであり、第２の種類のデータボリュームの第２のデータ部分がそれに応じて変化する。
【０１１３】
実際には、このスライス変更は、カーソルが選択されたＲＯＩ上にあり、クリックボタンが押下されたままである時に、マウスホイールをスクロールすることによって行われ得る。
【０１１４】
図６は、本発明に係る他の実施形態例を示す。図２および図４と同様の患者の顎顔面領域の４つのビュー４２ａ’、４２ｂ’、４２ｃ’、および４２ｄ’（軸方向、冠状、矢状、および３Ｄ）が表示される。留意すべき点として、３Ｄビューの表示は、他の典型的な実施形態および変形例に関して、この場合必要ではない。
【０１１５】
ここで、冠状ビュー４２ｂ’において他のＲＯＩ’が選択され、表示されたＲＯＩ’は第２の種類のデータ（ＦＤＫボリューム）を含むが、ビュー全体は、第１の種類のデータ（ＭＡＲボリューム）によって表示される。
【０１１６】
図７は、体軸ビュー４３のみが表示されている、本発明に係る他の実施形態例を示す。この場合、スライス／ビューはＦＤＫボリュームデータである第１の種類のデータによって表示されるが、選択されたＲＯＩ”は、ＭＡＲボリュームデータである第２の種類のデータによって表示される。図示するように、ツールアイコンＴ’は、拡大鏡の内側に第２のデータ種類を示す。
【０１１７】
上述した事項は全て、これら２つの実施形態例にも適用される。
【０１１８】
留意すべき点として、上述した機能は、「ＣＳ  ３Ｄ画像ソフトウェア」という商品名でケアストリームデンタル社によって商品化されたソフトウェア製品に追加され得る。本出願に係る典型的な実施形態は、本明細書で（個々にまたは組み合わせて）説明された様々な特徴を含んでよい。
【０１１９】
本明細書における典型的な実施形態と一貫して、コンピュータプログラムは、電子メモリからアクセスされる画像データに実行する、格納された命令を用いることができる。画像処理技術の当業者によって理解され得るように、本出願の典型的な実施形態における、撮像システムおよびプローブを動作させ、画像データを取得するためのコンピュータプログラムは、たとえばパーソナルコンピュータまたはワークステーションなど、本明細書で説明されたようなＣＰＵ７０として動作する適当な汎用コンピュータシステムによって用いられ得る。ただし、たとえばネットワークドプロセッサ構成を含む、多くの他の種類のコンピュータシステムが、本発明のコンピュータプログラムを実行するために用いられ得る。典型的な方法の実施形態を実行するためのコンピュータプログラムは、コンピュータ可読記憶媒体に格納され得る。この媒体はたとえば、たとえばハードドライブまたは取出し可能デバイスといった磁気ディスクまたは磁気テープなどの磁気記憶媒体、たとえば光学ディスク、光学テープ、または機械可読光符号化などの光記憶媒体、たとえばランダムアクセスメモリ（ＲＡＭ）または読取専用メモリ（ＲＯＭ）などのソリッドステート電子記憶デバイス、またはコンピュータプログラムを格納するために用いられる他の任意の物理デバイスまたは媒体を含んでよい。典型的な方法の実施形態を実行するためのコンピュータプログラムは、インターネットまたは他のネットワークまたは通信媒体によって画像プロセッサに接続されたコンピュータ可読記憶媒体にも格納され得る。当業者が更に容易に認識するように、そのようなコンピュータプログラム製品の均等物は、ハードウェアにおいて構成されてもよい。
【０１２０】
留意すべき点として、本出願の文脈における「コンピュータアクセス可能メモリ」に等しい「メモリ」という用語は、たとえばデータベースを含む、画像データを格納し画像データに作用するために用いられ、コンピュータシステムがアクセス可能である任意の種類の一時的またはより永久的なデータ記憶ワークスペースに言及し得る。メモリは、たとえば磁気または光学ストレージなどの長期間記憶媒体を用いて不揮発性であってよい。あるいはメモリは、たとえばマイクロプロセッサまたは他の制御論理プロセッサデバイスによって一時的バッファまたはワークスペースとして用いられるランダムアクセスメモリ（ＲＡＭ）などの電子回路を用いて、より揮発性の性質であってよい。たとえば表示データは一般に、ディスプレイデバイスに直接関連付けられ、表示されるデータを提供するために必要に応じて定期的にリフレッシュされる一時的記憶バッファに格納される。この一時的記憶バッファもまた、本出願においてこの用語が用いられる場合、メモリの一種とみなされる。またメモリは、計算および他の処理の中間結果および最終結果を実行および格納するためのデータワークスペースとしても用いられる。コンピュータアクセス可能メモリは、揮発性、不揮発性、または揮発性型と不揮発性型とのハイブリッド結合であってよい。
【０１２１】
理解されるように、本出願のコンピュータプログラム製品は、周知の様々な画像操作アルゴリズムおよびプロセスを利用し得る。更に理解されるように、本出願のコンピュータプログラム製品の典型的な実施形態は、本明細書で特に示されず、または説明されない、実装のために有用なアルゴリズムおよびプロセスを具体化し得る。そのようなアルゴリズムおよびプロセスは、画像処理技術の通常技量の範囲内である従来の有用性を含んでよい。そのようなアルゴリズムおよびシステムの追加の態様、および画像を生成および処理し、または本出願のコンピュータプログラム製品の典型的な実施形態と協働するためのハードウェアおよび／またはソフトウェアは、本明細書で特に示されず、または説明されず、当該技術において既知であるそのようなアルゴリズム、システム、ハードウェア、部品、および要素から選択され得る。
【０１２２】
本発明は、１または複数の実装に関して説明されたが、添付の特許請求の範囲の主旨および範囲から逸脱することなく、説明された例に対する変更および／または修正がなされ得る。加えて、本発明の特定の特徴は、いくつかの実装／実施形態の１つのみに関して開示されたが、そのような特徴は、任意の所与のまたは特定の機能のために所望かつ有利となり得るように、他の実装／実施形態の１または複数の他の特徴と併用され得る。「〜の少なくとも１つ」という用語は、記載された事項の１または複数が選択され得ることを意味するために用いられる。「約」という用語は、例示された実施形態に対するプロセスまたは構造の不一致が変更によってもたらされない限り、記載された値が多少変更され得ることを示す。最後に、「典型的な」は、その説明が、理想的であることを暗示するものではなく例として用いられることを示す。本発明の他の実施形態は、本明細書の熟考および本明細書に開示された本発明の実施によって当業者に明らかになる。本明細書および例は典型的なものにすぎないとみなされ、本発明の正しい範囲および主旨は、少なくとも以下の特許請求の範囲によって示されることが意図される。
【図１】
2020532339.tif 000003
【図２】
2020532339.tif 000004
【図３】
2020532339.tif 000005
【図４】
2020532339.tif 000006
【図５】
2020532339.tif 000007
【図６】
2020532339.tif 000008
【図７】
2020532339.tif 000009
【国際調査報告】
2020532339.tif 000010
2020532339.tif 000011